(57)【要約】【課題】光源の点灯・非点灯あるいは昼夜の区別なく表示部の視認性が良好な表示装置を提供する。【解決手段】筒状の灯室１５と、この灯室１５内に配置される発光ダイオード１６（表示灯）と、灯室１５の前面開口側に配置され、光透過性の表示部２１と、この表示部２１を除いた不透過性の地部２２とを有する表示板７と、この表示板７の背後に配置される光透過性の導光板１７と、灯室１５外に配置され導光板１７を照明する発光ダイオード１８（照明灯）と、導光板１７と発光ダイオード１６（表示灯）との間に配置される半透明部材１９とを備える。【選択図】  図２
2005024648.tif 000002
【特許請求の範囲】
【請求項１】
筒状の灯室と、この灯室内に配置される表示灯と、前記灯室の前面開口側に配置され、光透過性の表示部と、この表示部を除いた不透過性の地部とを有する表示板と、この表示板の背後に配置される光透過性の導光板と、前記灯室外に配置され前記導光板を照明する照明灯と、前記導光板と前記表示灯との間に配置される半透明部材とを備えたことを特徴とする表示装置。
【請求項２】
筒状の灯室と、この灯室内に配置される表示灯と、前記灯室の前面開口側に配置され、光透過性の表示部と、この表示部を除いた不透過性の地部とを有する表示板と、この表示板の背後に配置され、前記表示部に対応した裏面に半透明層を設けてなる光透過性の導光板と、前記灯室外に配置され前記導光板を照明する照明灯とを備えたことを特徴とする表示装置。
【請求項３】
前記表示部周囲の前記地部に対応した前記導光板の表面に反射層を設けたことを特徴とする請求項１または請求項２に記載の表示装置。
【請求項４】
前記表示灯が発光ダイオードであることを特徴とする請求項１から請求項３のいずれかに記載の表示装置。
【発明の詳細な説明】
【０００１】
【発明の属する技術分野】
本発明は、例えば車両の計器装置に備えられ、シフトポジションなどを表示する表示装置に関するものである。
【０００２】
【従来の技術】
例えば、オートマチック車のシフトレバーの操作位置を表示する表示装置として、例えば特開平１０−２２２１０９号公報がある。この装置は前記公報の図１に示す様に、透光性部材からなる文字板５の表面に文字意匠部７を形成し、裏面には透光性の白色印刷１１を施し、文字板５の裏面側に導光板２とレンズ３を配置したものである。この様に構成することによって、昼間においては、文字板５の裏面に施した白色印刷１１により文字意匠部７が白色で視認（表示）され、夜間においては、一般照明用バルブ１０からの光が導光板２を通り、一般照明用バルブ１０の色で文字意匠部７が照明される。また、シフトポジション表示時には、シフトポジション表示用バルブ９が発光し、レンズ３を通してレンズ３の色（例えば緑色）で文字意匠部７が照明（表示）されるというものである。
【０００３】
【特許文献１】
特開平１０−２２２１０９号公報（図１）
【０００４】
【発明が解決しようとする課題】
しかしながら、前記従来例においては、一般照明用バルブ１０およびシフトポジション表示用バルブ９が点灯していない昼間時は、文字意匠部７が白色で明瞭に視認されるものの、一般照明用バルブ１０あるいはシフトポジション表示用バルブ９が点灯した時には、文字板５の裏面に白色印刷１１が施してあるために、白色印刷１１層を透過した光は弱まってしまう。すなわち、文字意匠部７の輝度が低下してしまう。
【０００５】
本発明はこの様な点に鑑みなされたもので、光源の点灯・非点灯あるいは昼夜の区別なく表示部の視認性が良好な表示装置を提供することを目的とする。
【０００６】
【課題を解決するための手段】
本発明は前記課題を解決するため、筒状の灯室と、この灯室内に配置される表示灯と、前記灯室の前面開口側に配置され、光透過性の表示部と、この表示部を除いた不透過性の地部とを有する表示板と、この表示板の背後に配置される光透過性の導光板と、前記灯室外に配置され前記導光板を照明する照明灯と、前記導光板と前記表示灯との間に配置される半透明部材とを備えたものである。
【０００７】
また、筒状の灯室と、この灯室内に配置される表示灯と、前記灯室の前面開口側に配置され、光透過性の表示部と、この表示部を除いた不透過性の地部とを有する表示板と、この表示板の背後に配置され、前記表示部に対応した裏面に半透明層を設けてなる光透過性の導光板と、前記灯室外に配置され前記導光板を照明する照明灯とを備えたものである。
【０００８】
また、前記表示部周囲の前記地部に対応した前記導光板の表面に反射層を設けたものである。
【０００９】
また、前記表示灯を発光ダイオードとするものである。
【００１０】
【発明の実施の形態】
本発明による表示装置を車両用の計器装置に適用した場合を実施形態として説明する。図１〜図３は本発明の第１実施形態を示し、図１は計器装置の要部（回転計部分および表示装置）を示す断面図であり、図２は表示装置の断面を示す。図３は表示装置に用いられる表示板の部分正面図である。
【００１１】
計器装置は、計器としての例えば回転計１を備えており、硬質な回路基板２と、この回路基板２の裏面側に回路基板２と導通状態で装着され、回路基板２を貫通して前方に延びる回動軸３を有する回転計１用の計器本体４と、回動軸３の先端側に固着された指示部５を有する指針６と、この指針６の後方に配置され指示部５の動作に対応する指標部（図示せず）を設けた表示板７と、回路基板２上に実装され指針６や指標部を背後から照明する光源としての発光ダイオード８，８Ａと、表示板７と回路基板２との間に配置されたケース９と、回路基板２の裏面側を覆うカバー１０と、表示板７の前方側に配置され表示板７の可視領域を定める開口部１１を有する合成樹脂からなる黒色の見返し部材１２と、指針６や表示板７などの前方側に配置された暗色系の透視板１３を有している。なお、透視板１３は無色透明でも良い。
【００１２】
また、計器装置には、例えばオートマチック車のシフトレバーの操作位置を表示する表示装置を備えている。この表示装置は、前述したケース９を仕切壁１４で区画形成した筒状の灯室１５と、この灯室１５内に配置される表示灯としての発光ダイオード１６と、灯室１５の前面開口側に配置される表示板７（前述した回転計１用の表示板７と一体のもの）と、この表示板７の背後に配置される導光板１７と、灯室１５外に配置され導光板１７を照明する照明灯としての発光ダイオード１８と、導光板１７と発光ダイオード１６（表示灯）との間に配置される例えば乳白色の光透過性の合成樹脂からなる半透明部材１９を備えている。なお、灯室１５の内外に設けられた発光ダイオード１６，１８は前述した回路基板２上に実装されている。
【００１３】
表示板７は、図２および図３に示す様に、無色透明な樹脂からなる基板２０の表面側にシフトレバーの操作位置を表示する「Ｐ，Ｒ，Ｎ，Ｄ，２，Ｌ」の文字，数字からなる表示部２１となる箇所を除いて、地部２２となる例えば黒色（不透過性）の地色層２３を印刷する。すなわち、表示部２１は地色層２３に抜き部Ｘを設けることによって形成されるものである。なお、詳細は図示しないが回転計１用の指標部には、車両のエンジン回転数を現す目盛，数字，文字などの指標部となる白色の透光性表示層が基板２０の表面側に設けてあり、指標部を除いて黒色（不透過性）の地色層が印刷されている。この地色層は上述した地色層２３と同一工程で印刷すればよい。また、基板２０の表面側には地部２２，表示部２１，指標部の表面を保護するための無色透明な保護層２４が設けてある。
【００１４】
導光板１７は、光透過性で無色透明な合成樹脂からなり、発光ダイオード１８の光を内部に効率よく導くために反射面２５が形成してある。また、表示板７に形成された表示部２１周囲の地部２２に対応した導光板１７の表面箇所には、例えば白色の反射層２６が設けてある。この反射層２６は、導光板１７内に入射した光が反射しやすいような色なら、白以外の色調でも良い。
【００１５】
ケース９は、遮光性のある白色の合成樹脂からなり、回動軸３周囲に配置された指針６照明用の発光ダイオード８を囲む筒部２７と、表示板７が載置される前面部２８と、回転計１用の指標部（図示せず）を照明する発光ダイオード８Ａと導光板１７を照明する発光ダイオード１８との光干渉を防ぐ遮光壁２９などを有している。また、本実施形態においては、前述した様に灯室１５を形成するための仕切壁１４が一体に設けられている。
【００１６】
この様に構成された計器装置においては、透視板１３が暗色系である黒色半透明であるために内部は通常視認されないが、指針６照明用の例えば赤色で発光する発光ダイオード８が点灯すると、指針６の指示部５が赤色で発光するようになる。また、指標部照明用の例えば白色で発光する発光ダイオード８Ａが点灯すると、表示板７に設けられた回転計１用の指標部が白色で透過照明（透過表示）される。
【００１７】
また、表示装置のシフトレバーの操作位置を表示する表示部２１は、例えば白色で発光する導光板１７照明用の発光ダイオード１８が点灯すると、照明光が導光板１７内に入射し、反射面２５で反射して導光板１７の中心側に向かう。また、反射面２５で反射した後、反射層２６に反射して導光板１７の中心側に向かう光や導光板１７内に入り（反射面２５に向かわずに）導光板１７の上面と下面間で反射を繰り返しながら中心側に向かう光もある。これらの光が半透明部材１９を照射して表示部２１が白色で視認される。
【００１８】
また、シフトレバーの位置する表示部２１（例えばＤ文字）に対応する灯室１５内の発光ダイオード１６が例えば緑色で点灯した時は、Ｄ文字箇所の表示部２１が緑色で透過表示される。Ｄ文字箇所以外の表示部２１（Ｐ，Ｒ，Ｎ，２，Ｌ）は前述した様に白色で視認される。
【００１９】
この様に、表示部２１に対応した表示板７の裏面側あるいは導光板１７の表面側に従来例の様に白色の印刷層が施されていない（無色透明である）ため、発光ダイオード１８，１６が点灯しても透過輝度が低下してしまうということがなく、表示部２１の視認性が良い。
【００２０】
また、導光板１７の表面側に反射層２６を設けることにより、発光ダイオード１８からの強い光で半透明部材１９を照らすことができるため、表示部２１がより明るく白く視認される。なお、反射層２６は表示部２１の全周囲に対応した箇所に設ける必要はなく、表示部２１の少なくとも発光ダイオード１８側に対応した導光板１７の表面箇所に設けてあればよい。
【００２１】
また、表示灯を発光ダイオード１６とすることにより、表示部２１の透過色が発光ダイオード１６の発光色となるため、乳白色の半透明部材１９を透過した光の輝度が従来例の様なカラーレンズ３を使ったほどに低下しない。更に乳白色の半透明部材１９は拡散作用もあるため、均一な透過照明となる。
【００２２】
なお、透視板１３が無色透明の場合、昼間時の指針６および指標部は外光により視認される。表示部２１は、外光が無色透明な表示板７および導光板１７を透して半透明部材１９に差すことによって乳白色で視認される。あるいは、導光板１７を照明する発光ダイオード１８を点灯させることによって、表示部２１が白色で視認されるようにしても良い。
【００２３】
夜間時は、指針６照明用の発光ダイオード８の点灯により、指針６の指示部５が赤色で発光するようになる。また、指標部照明用の発光ダイオード８Ａの点灯により、回転計１用の指標部が白色で透過照明される。また、表示装置の表示部２１は、導光板１７照明用の発光ダイオード１８が点灯すると、表示部２１が白色で視認される。さらに、シフトレバーの位置する表示部２１（例えばＤ文字）に対応する灯室１５内の発光ダイオード１６が例えば緑色で点灯した時は、Ｄ文字箇所の表示部２１が緑色で透過表示される。Ｄ文字箇所以外の表示部２１（Ｐ，Ｒ，Ｎ，２，Ｌ）は白色で視認される。
【００２４】
この様に昼夜共に、シフトレバーの位置を表示する表示部は灯室１５内の発光ダイオード１６（表示灯）の点灯によって良好な視認性で透過表示され、それ以外のシフトレバーの操作位置を表示する表示部は外光あるいは灯室１５外の発光ダイオード１８（照明灯）の点灯によって良好に視認される。
【００２５】
図４は、本発明の第２実施形態を示す表示装置の断面図である。本実施形態における表示装置は、表示部２１に対応した導光板１７の裏面箇所に半透明層３０を設け、前記第１実施形態における半透明部材１９を廃止したものである。他は前記第１実施形態と同様であるため、同一もしくは相当箇所については同一符号を付し、その詳細説明は省略する。
【００２６】
導光板１７は、前記第１実施形態と同様に、反射面２５を有する無色透明な合成樹脂からなり、表示板７に形成された表示部２１周囲の地部２２に対応した導光板１７の表面箇所には、例えば白色の反射層２６が設けてある。また、表示部２１に対応した導光板１７の裏面箇所には、例えば白色の半透明層３０が設けてある。
【００２７】
この様に構成された計器装置においては、前記第１実施形態と同様に、透視板１３が黒色半透明であるために内部は通常視認されないが、指針６照明用の発光ダイオード８が点灯すると、指針６の指示部５が赤色で発光するようになる。また、指標部照明用の発光する発光ダイオード８Ａが点灯すると、表示板７に設けられた回転計１用の指標部が白色で透過照明（透過表示）される。
【００２８】
また、表示装置のシフトレバーの操作位置を表示する表示部２１も前記第１実施形態と同様に、例えば白色で発光する導光板１７照明用の発光ダイオード１８が点灯すると、照明光が白色の半透明層３０を照射して表示部２１が白色で視認される。また、シフトレバーの位置する表示部２１（例えばＤ文字）に対応する灯室１５内の発光ダイオード１６が例えば緑色で点灯した時は、Ｄ文字箇所の表示部２１が緑色で透過表示され、Ｄ文字箇所以外の表示部２１（Ｐ，Ｒ，Ｎ，２，Ｌ）は白色で視認される。
【００２９】
この様に、表示部２１に対応した表示板７の裏面側あるいは導光板１７の表面側に従来例の様に白色の印刷層が施されていないため、発光ダイオード１８，１６が点灯しても透過輝度が低下してしまうということがなく、表示部２１の視認性が良い。
【００３０】
なお、各実施形態において、導光板１７照明用の発光ダイオード（照明灯）と表示板７の指標部を照明する発光ダイオード８Ａを別々に設けたが、導光板１７照明用の発光ダイオード１８で指標部も照明するようにしても良い。また、導光板１７に反射面２５を形成したが、必ずしも形成する必要はない。但し、反射面２５を設けた方が導光板１７内に光を導きやすくなる。また、表示装置用の表示板７と回転計１用の表示板７を一体のものとしたが、別々であっても良い。
【００３１】
【発明の効果】
以上詳述したように、本発明によれば、光源の点灯・非点灯あるいは昼夜の区別なく表示部の視認性が良好な表示装置を得ることができる。
【図面の簡単な説明】
【図１】本発明の第１実施形態を示す計器装置の要部断面図。
【図２】同実施形態を示す表示装置の断面図。
【図３】同実施形態を示す表示板の部分正面図。
【図４】本発明の第２実施形態を示す表示装置の断面図。
【符号の説明】
７  表示板
１５  灯室
１６  発光ダイオード（表示灯）
１７  導光板
１８  発光ダイオード（照明灯）
１９  半透明部材
２１  表示部
２２  地部
２６  反射層
３０  半透明層
【図１】
2005024648.tif 000003
【図２】
2005024648.tif 000004
【図３】
2005024648.tif 000005
【図４】
2005024648.tif 000006